(57)【特許請求の範囲】
【請求項１】
容器本体と容器本体のフランジ部にヒートシールされた蓋材とからなる包装容器であって、
前記蓋材に設けられた摘み部の近傍のヒートシール部の形状が、外方に向けて尖っていて、その尖った前記ヒートシール部の内側にポイントシール部が設けられていることを特徴とする包装容器。
【請求項２】
前記ヒートシール部と前記ポイントシール部は分離して設けられていることを特徴とする請求項１に記載の包装容器。
【発明の詳細な説明】
【技術分野】
【０００１】
本発明は、包装容器に関するものである。特に、容器本体と容器本体のフランジ部にヒートシールされた蓋材とからなる包装容器に関するものである。
【背景技術】
【０００２】
成型された容器本体と容器本体のフランジ部にヒートシールされた蓋材とからなる包装容器は、シロップやコーヒー用クリームなどを収納したポーションパックや、ゼリーなどの容器に広く使用されている。
【０００３】
このような容器では、蓋材の摘み部を持ってヒートシール部を剥がして開封していくとき、剥がし始めにおいては、ヒートシール部の剥離境界線の幅が急に広くなって、抵抗が強くなり、剥離するのに強く引かなければならない。
【０００４】
このため、開ける際に強く引くと、剥離が開始され、中間部になると然程の抵抗がなくなり、その拍子に揺らしてしまい、内容物が飛び出したりしてしまうことがあった。これを解消するために、シール形状の工夫が行われている。
【０００５】
蓋部がヒートシールされるべきフランジ部を有する絞り成型容器で、フランジ部の初期開口部となるべき部分が特に広幅になっていて、この部分のヒートシール部を３角形状に外方に突出させて、初期開口を容易にした絞り成型容器がある（特許文献１）。
【０００６】
このように、ヒートシール部を３角形状に外方に突出させた容器では、外部環境の変化などから、容器内部の内容物収納部の内圧と外部圧力との変動によって、この３角形状に外方に突出したヒートシール部が剥離してしまうことがあった。
【０００７】
公知文献を以下に示す。
【先行技術文献】
【特許文献】
【０００８】
【特許文献１】実開昭６２−１９１６１３号公報
【発明の概要】
【発明が解決しようとする課題】
【０００９】
本発明は上記のような事情に鑑みてなされたもので、容器内部の内容物収納部の内圧と外部圧力との変動があっても、外方に突出したヒートシール部が剥離してしまうことのない包装容器を提供することを課題としている。
【課題を解決するための手段】
【００１０】
本発明は係る課題に鑑みなされたものであり、請求項１の発明は、容器本体と容器本体のフランジ部にヒートシールされた蓋材とからなる包装容器であって、
前記蓋材に設けられた摘み部の近傍のヒートシール部の形状が、外方に向けて尖っていて、その尖った前記ヒートシール部の内側にポイントシール部が設けられていることを特徴とする包装容器である。
【００１１】
本発明の請求項２の発明は、前記ヒートシール部と前記ポイントシール部は分離して設けられていることを特徴とする請求項１に記載の包装容器である。
【発明の効果】
【００１２】
本発明の包装容器は、尖った前記ヒートシール部の内側にポイントシール部が設けられているので、容器内部の内容物収納部の内圧と外部圧力との変動があっても、外方に突出したヒートシール部が剥離してしまうことがない。
【図面の簡単な説明】
【００１３】
【図１】本発明の包装容器の一例を模式的に示した説明図である。（Ａ）平面図である。（Ｂ）正面図である。
【図２】本発明の包装容器の他の例を模式的に平面で示した説明図である。
【図３】本発明の包装容器の更に他の例を模式的に平面で示した説明図である。
【発明を実施するための形態】
【００１４】
以下、本発明を実施するための形態につき説明する。
図１は、本発明の包装容器の一例を模式的に示した説明図である。（Ａ）平面図である。（Ｂ）正面図である。
【００１５】
本例の包装容器１００は、図１（Ａ）平面図、（Ｂ）正面図のように、容器本体１と容器本体のフランジ部１１にヒートシールされた蓋材２とからなっている。容器本体１は、フランジ部１１の内縁の形状が円形で、開口部が円形になっている。
【００１６】
フランジ部１１の内縁から下方に狭まりながら向かう側壁が設けられ、側壁の下端部に底部が設けられている。フランジ部１１の形状は、前述のように内縁が円形で、外縁は、円形で、そこから蓋材の摘み部に合わせて突き出し部が形成されている。
【００１７】
蓋材２は、フィルム状で、フランジ部１１の外形に合わせた、円形で、そこから摘み部２１が突き出るように設けられている。
【００１８】
容器本体１のフランジ部１１と、蓋材２とのヒートシール部３は、容器本体１の開口部を取り巻くように、円形で帯状に設けられ、蓋材２に設けられた摘み部２１の近傍のヒートシール部３の形状が、外方に向けて突き出し、尖った尖り部３１を形成している。尖り部３１は２つの直線が突き当たったような、角状に形成されていて、その尖り部３１の内側にポイントシール部４が設けられている。
【００１９】
このように尖った尖り部３１の内側にポイントシール部４が設けられているので、包装容器の内圧が増加して膨らむ場合、例えば、内容物自体が膨張したり、内容物からガスが発生したり、包装容器外の温度や圧力の変化により、包装容器の内圧が高まったりした場合でも、ポイントシール部４とヒートシール部３に均等に力が加わり、剥離して破裂してしまうことがない。
【００２０】
ヒートシール部３とポイントシール部４は、分離して設けられている。包装容器の圧力が高まった時に均等に力がかかれるように、ヒートシール部３の内縁を突き出さないで、外縁のみを、外方に向けて突き出す形状も考えられるが、この構造の場合、開封時の抵抗が強くなってしまう。そこでヒートシール部３とポイントシール部４を分離して設けることで内圧の力を均等にしながら、開封時の抵抗を適度に保つことができる。
【００２１】
また、摘み部２１を持って引っ張ったときに抵抗が強く、剥離され始めたときに抵抗が弱くなり、勢いよく剥離するのを、ポイントシール部４によって受けて、剥離の勢いを低下させることができる。
【００２２】
図２は、本発明の包装容器の他の例を模式的に平面で示した説明図である。
【００２３】
本発明の包装容器は、図２に示す包装容器２００のように、２つの直線が突き当たったような、角状に形成されている尖り部３１の代わりに、２つの曲線が突き当たったような、先端が鋭く形成された尖り部３２にして、この尖り部３２の内側にポイントシール部４を設けるようにしてもよい。
【００２４】
このようになっていても、包装容器の内圧が増加して膨らむ場合でも、包装容器１００と同様に、ポイントシール部４とヒートシール部３に均等に力が加わり、剥離して破裂してしまうことがない。
【００２５】
また、摘み部２１を持って引っ張ったときに抵抗が強く、剥離され始めたときに抵抗が弱くなり、勢いよく剥離するのを、ポイントシール部４によって受けて、剥離の勢いを低下させることができる。
【００２６】
図３は、本発明の包装容器の更に他の例を模式的に平面で示した説明図である。
【００２７】
本例の包装容器３００は、図３のように、容器本体のフランジ部１１の内縁の形状が角を取った四角形で、開口部が角を取った四角形になっている。この容器本体のフランジ部１１に蓋材２がヒートシールされている。
【００２８】
そして、フランジ部１１の内縁から下方に狭まりながら向かう側壁が設けられ、側壁の下端部に底部が設けられている。フランジ部１１の形状は、前述のように内縁が角を取った四角形で、外縁は、角を取った四角形で、そこから蓋材の摘み部に合わせて突き出し部が形成されている。
【００２９】
蓋材２は、フィルム状で、フランジ部１１の外形に合わせた、角を取った四角形で、その一角から摘み部２１が突き出るように設けられている。
【００３０】
容器本体のフランジ部１１と、蓋材２とのヒートシール部３は、容器本体１の開口部を取り巻くように、四角形で帯状に設けられ、蓋材２に設けられた摘み部２１の近傍のヒートシール部３が四角形の一つの角になっていて、尖り部３３になっている。その尖り部３３の内側にポイントシール部４が設けられている。
【００３１】
この包装容器３００の場合は、四角形のヒートシール部３の他の角の内側にも、それぞれポイントシール部４１が設けられている。
【００３２】
このように尖った尖り部３３の内側にポイントシール部４が設けられ、また他の角の内側にもポイントシール部４１が設けられているので、包装容器の内圧が増加して膨らむ場合でも、ポイントシール部４、ポイントシール部４１と、ヒートシール部３に均等に力が加わり、剥離して破裂してしまうことがない。
【００３３】
また、摘み部２１を持って引っ張ったときに抵抗が強く、剥離され始めたときに抵抗が弱くなり、勢いよく剥離するのを、ポイントシール部４によって受けて、剥離の勢いを低下させることができる。
【００３４】
本発明に用いる容器本体１は、プラスチックのシートをシート成型したものでも、インジェクション成型したものでもよい。また、アルミニウムなどの金属箔にプラスチックフィルムを積層して、絞り成型したものでもよい。蓋材２とヒートシールするフランジ部１１の面が蓋材２とヒートシールできる熱可塑性樹脂であればよい。
【００３５】
蓋材２は、基材層とシーラント層からなる積層フィルムからできている。また、基材層やシーラント層自体が多層になっていてもよい。
【００３６】
基材層には、ナイロン、ポリエチレンテレフタレート、ポリプロピレン等の樹脂の２軸延伸、あるいは、１軸延伸、未延伸のプラスチックフィルムが好ましく使用できる。その場合の厚さは１２〜５０μｍ程度である。
【００３７】
また、金属や無機物を蒸着した蒸着フィルムを、基材層として用いることもできる。また、これらを組み合わせて、基材層を多層にして設けても良い。さらには、アルミニウム箔などの金属箔も、多層の基材フィルムの１層として設けることもできる。
【００３８】
蓋材２のシーラント層としては、容器本体１とイージーピール性があるものが好ましく用いられる。また、シール温度によってシール強度が変化しないものが望ましい。このようなシーラント層の樹脂は、ベース熱可塑性樹脂／ブレンド用熱可塑性樹脂のブレンド樹脂を用いるのが好ましい。
【００３９】
容器本体１のフランジ部１１のシールする面である被着体がポリエチレン（ＰＥ）の場合、ベース樹脂／ブレンド用の熱可塑性樹脂の組合せとして、ポリエチレン（ＰＥ）／エチレン−メタクリル酸共重合体（ＥＭＡＡ）、ポリエチレン（ＰＥ）／エチレン−酢酸ビニル共重合体（ＥＶＡ）、ポリエチレン（ＰＥ）／エチレン−アクリル酸共重合体（ＥＡＡ）、ポリエチレン（ＰＥ）／エチレン−アクリル酸エチル共重合体（ＥＥＡ）の組合せが好ましい。
【００４０】
また容器の被着体がポリスチレン樹脂（ＰＳ）の場合、ベース樹脂／ブレンド用の熱可塑性樹脂の組合せとして、エチレン−酢酸ビニル共重合体（ＥＶＡ）／ポリブテン樹脂（ＰＢ）、ポリエチレン樹脂（ＰＥ）＋エラストマー＋石油樹脂／ポリブテン樹脂（ＰＢ）の組合せが好ましい。
【００４１】
さらに容器の該被着体がポリプロピレン樹脂（ＰＰ）の場合、ベース樹脂／ブレンド用の熱可塑性樹脂の組合せとして、ポリプロピレン樹脂（ＰＰ）／ポリスチレン樹脂（ＰＳ）、ポリプロピレン樹脂（ＰＰ）／ポリエチレン樹脂（ＰＥ）の組合せが好ましい。
【００４２】
シーラント層の厚さは、シール強度、加工性を考慮すると、１５〜１００μｍであることが好ましく、２０〜４０μｍがより望ましい。
【００４３】
また、絵柄印刷層を基材層のおもて面などに設けることができる。また、多層の基材層の場合は、基材層の最外層のフィルムのうら面に絵柄印刷層を設けることが好ましい。絵柄印刷層を設ける印刷方式は、特に限定するものではないが、通常、グラビア印刷、あるいは、フレキソ印刷が用いられる。
【実施例】
【００４４】
以下に、本発明の具体的実施例について説明する。
【００４５】
＜実施例１＞
ポリプロピレン／エチレンビニルアルコール共重合体／ポリプロピレンからなる共押し出しシートを圧空成型し、逆台形状の収納部とフランジ部を有する容器本体１を作成した。
【００４６】
ポリエチレンエレフタレートフィルム、アルミナ蒸着ポリエチレンエレフタレートフィルム、ポリプロピレン用イージーピールフィルムをこの順でドライラミネートにより積層し、蓋材２を作成した。
【００４７】
内容物としてキムチを用意し、先の容器本体１の逆台形状の収納部に収納し、蓋材２をかぶせてヒートシールにより密封し、打ち抜き、図１の包装容器１００のような、実施例１の包装容器を作成した。
【００４８】
すなわち、容器本体１は、フランジ部１１の内縁の形状が円形で、フランジ部１１の内縁から下方に狭まりながら向かう側壁が設けられ、側壁の下端部に底部が設けられている。蓋材は、円形から摘み部２１が突き出るように設けられていて、摘み部２１の側のヒートシール部の形状が、外方に向けて尖り部３１が設けられている。その尖り部３１の内側にポイントシール部４が設けられている。実施例１では、フランジの幅６ｍｍに対し、シール幅は３ｍｍで作成し、ポイントシール部４は直径１．５ｍｍで設けた。
【００４９】
以下に、本発明の比較例について説明する。
【００５０】
＜比較例１＞
尖り部３１の内側にポイントシール部４を設けなかった以外は、実施例１と同様にして、比較例１の包装容器を作成した。
【００５１】
＜比較例２＞
ヒートシール部の形状を、尖り部３１を設けずに円形のままにし、ポイントシール部４も設けなかった以外は、実施例１と同様にして、比較例２の包装容器を作成した。
【００５２】
＜比較例３＞
ヒートシール部の形状を、内縁は突き出さずに、外縁のみを突き出させ、尖り部を設けた形状にした以外は実施例１と同様にして、比較例３の包装容器を作成した。
【００５３】
＜試験方法＞
実施例と比較例の包装容器を下記の方法で試験し、比較評価した。
【００５４】
＜剥離性評価＞
実施例と比較例の包装容器を、それぞれ、摘み部を持って、蓋材を容器本体の開口部の半分程度まで剥離し、その剥離性を官能により評価した。その結果を表１にまとめた。
【００５５】
剥離したとき、スムーズに剥離したものを○とし、剥離時にはっきり抵抗があったものを×とし、抵抗が弱冠大きかったものを△として評価した。その結果を表１にまとめた。
【００５６】
＜加温剥離評価＞
実施例と比較例の包装容器を、６０℃の恒温室で保存、１日後、蓋材が容器本体から剥離した部分があるか否かをチェックした。
【００５７】
剥離のなかったものをあった○とし、剥離部分があったものを×として評価した。その結果を表１にまとめた。
【００５８】
【表１】
0006586726.tif 000002
【００５９】
以下に、実施例と比較例との比較結果について説明する。
【００６０】
＜比較結果＞
実施例１の包装容器は、剥離性評価で、蓋材を、摘み部を持って容器本体から剥がしたところ、剥がし始めの部分も良好に剥離することができた。また、加温剥離評価で、剥離してもれるようなことはなかった。
【００６１】
一方、比較例１の包装容器は、剥離性評価では、蓋材を、摘み部を持って容器本体から剥がしたところ、剥がし始めの部分も良好に剥離することができたが、加温剥離評価で、剥離した部分があって、もれていた。
【００６２】
比較例２の包装容器は、加温剥離評価では、剥離して漏れることはなかったが、剥離性評価では、剥がし始めの部分で、若干抵抗があり、剥離しにくかった。
【００６３】
比較例３の包装容器は、加温剥離評価では、剥離して漏れることはなかったが、剥離性評価では、剥がし始めの部分ではかなり抵抗があり、剥がしにくかった。
【符号の説明】
【００６４】
１００、２００、３００・・・包装容器
１・・・容器本体
１１・・・フランジ部
２・・・蓋材
２１・・・摘み部
３・・・ヒートシール部
３１、３２、３３・・・尖り部
４、４１・・・ポイントシール部
【図１】
0006586726.tif 000003
【図２】
0006586726.tif 000004
【図３】
0006586726.tif 000005